(57)【要約】【課題】本明細書は、ケースにコンデンサ素子が収容されたコンデンサモジュールに関し、外形サイズを大きくすることなく、位置決め用の突起又は孔を設ける。【解決手段】本明細書が開示するコンデンサモジュール２は、丸角柱状の複数のコンデンサ素子７ａ−７ｃと、コンデンサ素子を収容しているケース３を備えている。ケース３は、２個のコンデンサ素子７ａ、７ｂの夫々の第１側面７１が対向するように平行に配置されているとともに、第１側面７１に隣接する第２側面７２がケース内側底面３３に対向するようにコンデンサ素子７ａ−７ｃを収容している。ケース３は、２個のコンデンサ素子７ａ、７ｂの夫々の第１側面７１と第２側面７２の境界の丸角部７３で挟まれた素子境界部８のケース外側底面３１の側に、突起４と孔５が設けられている。【選択図】図４
2019134044.tif 000002
【特許請求の範囲】
【請求項１】
丸角柱状の少なくとも２個のコンデンサ素子と、
前記コンデンサ素子を収容しているケースと、
を備えており、
前記ケースは、
２個の前記コンデンサ素子の夫々の第１側面が対向するように平行に配置されているとともに、前記第１側面に隣接する第２側面がケース内側底面に対向するように前記コンデンサ素子を収容しており、
２個の前記コンデンサ素子の夫々の前記第１側面と前記第２側面の境界の丸角部で挟まれた素子境界部のケース外側底面の側に、突起または孔が設けられている、コンデンサモジュール。
【請求項２】
前記素子境界部の前記ケース外側底面の側に、前記コンデンサ素子の軸線に沿って延びる溝が設けられており、前記溝に前記突起が設けられており、前記突起の先端面が、前記コンデンサ素子の前記第２側面に対応する前記ケース外側底面の平坦部と面一、あるいは、前記平坦部よりもケース内側に位置している、請求項１に記載のコンデンサモジュール。
【発明の詳細な説明】
【技術分野】
【０００１】
本明細書が開示する技術は、複数のコンデンサ素子がケースに収容されているコンデンサモジュールに関する。
【背景技術】
【０００２】
特許文献１に、複数のコンデンサ素子がケースに収容されており、ケースとコンデンサ素子の間にモールド樹脂が充填されているコンデンサモジュールが開示されている。コンデンサ素子は、丸角柱状の外形状を有している。複数のコンデンサ素子は、隣接するコンデンサ素子の第１側面同士が対向するように平行に並ぶとともに、第１側面に隣接する第２側面がケース内側の底面に対向するように、ケースに収容されている。以下、ケースの底部において、隣接するコンデンサ素子の丸角部（第１側面と第２側面の境界の丸角部）で挟まれた部分を素子境界部と称することにする。特許文献１のコンデンサモジュールでは、素子境界部のケース外側底面の側に、柱状のコンデンサ素子の軸線方向に沿って延びる溝が設けられている。
【先行技術文献】
【特許文献】
【０００３】
【特許文献１】特開２０１７−０１１０１８号公報
【発明の概要】
【発明が解決しようとする課題】
【０００４】
コンデンサモジュールを他の部品に取り付けるため、あるいは、製造時にコンデンサモジュールをハンドリングする装置がコンデンサモジュールを把持するため、ケースの外側に位置決め用の突起あるいは孔を設ける場合がある。本明細書は、ケースの底の素子境界部を有効活用し、コンデンサモジュールの外形サイズを大きくすることなく、位置決め用の突起あるいは孔を設けたコンデンサモジュールを提供する。
【課題を解決するための手段】
【０００５】
本明細書が開示するコンデンサモジュールは、丸角柱状の少なくとも２個のコンデンサ素子と、それらコンデンサ素子を収容しているケースを備えている。ケースは、２個のコンデンサ素子の夫々の第１側面が対向するように平行に配置されているとともに、第１側面に隣接する第２側面がケース内側底面に対向するようにコンデンサ素子を収容している。ケースは、さらに、２個のコンデンサ素子の夫々の第１側面と第２側面の境界の丸角部で挟まれた素子境界部のケース外側底面の側に、位置決め用の突起または孔が設けられている。
【０００６】
コンデンサ素子の丸角部に対向する素子境界部は肉厚にできることから、位置決め用の孔を設けるのに都合がよい。素子境界部のケース外側底面の側に突起を設ける場合には、素子境界部のケース外側底面の側にコンデンサ素子の軸線に沿って延びる溝を設け、その溝に突起を設けるとよい。この場合、突起の先端面が、コンデンサ素子の第２側面に対応するケース外側底面の平坦部と面一、あるいは、ケース外側底面の平坦部よりもケース内側に位置しているとよい。突起がケース外側底面の平坦部から突出しないので、突起がコンデンサモジュールの外形サイズを大きくすることがない。
【０００７】
本明細書が開示する技術の詳細とさらなる改良は以下の「発明を実施するための形態」にて説明する。
【図面の簡単な説明】
【０００８】
【図１】実施例のコンデンサモジュールの斜視図である。
【図２】コンデンサモジュールの側面図である。
【図３】コンデンサモジュールの底面図である。
【図４】図３のIV−IV線に沿った断面図と、素子境界部の拡大断面図である。
【図５】第１変形例のコンデンサモジュールの側面図である。
【図６】第２変形例のコンデンサモジュールの断面図である。
【発明を実施するための形態】
【０００９】
図面を参照して実施例のコンデンサモジュール２を説明する。図１に、コンデンサモジュール２の斜視図を示す。コンデンサモジュール２は、ケース３に３個のコンデンサ素子７ａ−７ｃが収容されたデバイスである。コンデンサ素子７ａ−７ｃは、丸角柱形状である。コンデンサ素子７ａ−７ｃは、図１の座標系におけるＹ方向が、丸角柱の軸線の方向と一致している。３個のコンデンサ素子７ａ−７ｃは、軸線が平行となるようにケース３に収容されている。
【００１０】
コンデンサ素子７ａ−７ｃを入れるためのケース３の開口は、図１では下を向いている。即ち、図１は、コンデンサモジュール２を斜め下方から見た図である。図１の座標系の＋Ｚ方向が「上」に対応し、−Ｚ方向が「下」に対応する。図１において、ケース３の図中の上側を向いている面は、ケース３の外側の底面（外側底面３１）である。ケース３の外側底面３１には、溝３２が設けられている。溝３２は、隣接するコンデンサ素子７ａ、７ｂの間、及び、隣接するコンデンサ素子７ｂと７ｃの間に設けられている。溝３２に、突起４が設けられており、突起４の先端面に孔５が設けられている。図１に示されているように、ケース３の外側底面３１には４個の突起４が設けられている。コンデンサモジュール２を製造する工程において、不図示のハンドリング装置が突起４の孔５にピンを入れ、ハンドリング装置に対するケース３の位置が定まる。突起４と孔５は、ケース３（コンデンサモジュール２）の位置決め用に設けられている。
【００１１】
図２にコンデンサモジュール２の側面図を示し、図３にコンデンサモジュール２の底面図を示す。図４に、図３のIV−IV線に沿った断面図を示す。主に図４を参照しつつ、コンデンサモジュール２の構造を説明する。なお、全ての図において、コンデンサ素子７ａ−７ｃを電気的に接続する導体は図示を省略してある。
【００１２】
コンデンサ素子７ａ−７ｃはいずれも、丸角柱状をなしている。図中の座標系のＹ方向が、丸角柱状のコンデンサ素子７ａ−７ｃの柱の軸線方向に一致している。コンデンサ素子７ａ−７ｃの丸角柱の一側面を第１側面７１と称し、第１側面７１に隣接する側面を第２側面７２と称する。コンデンサ素子７ａと７ｂ（７ｂと７ｃ）は、第１側面７１同士が対向するように平行に並ぶとともに、第１側面７１に隣接する第２側面７２がケース３の内側の底面（内側底面３３）に対向するように、ケース３に収容されている。ケース３の内面とコンデンサ素子７ａ−７ｃの間には、モールド樹脂１３（あるいは、ポッティング材）が充填されている。
【００１３】
コンデンサ素子７ａ−７ｃにおいて、第１側面７１と第２側面７２の境界に相当する丸角部を、丸角部７３と称する。ケース３の底部において、コンデンサ素子７ａの丸角部７３とコンデンサ素子７ｂの丸角部７３に挟まれた部分を、素子境界部８と称する。図４の下側に、素子境界部８の拡大図を示してある。なお、コンデンサ素子７ｂとコンデンサ素子７ｃの間の素子境界部も同じ構造である。
【００１４】
素子境界部８において、ケース３の内側の底面（内側底面３３）の側には、コンデンサ素子７ａの軸線方向に沿って延びる凸条１０が設けられている。また、先に述べたように、ケース３の外側底面３１のコンデンサ素子７ａと７ｂの間には（素子境界部８の外側底面３１の側）には、コンデンサ素子７ａの軸線方向に延びる溝３２が形成されている。図中のＺ方向、即ち、外側底面３１の法線方向からみて、凸条１０と溝３２は、重なるように配置されている。凸条１０は、隣接するコンデンサ素子７ａ、７ｂの対向する丸角部７３の間の空間に張り出すように設けられている。そして、凸条１０を設け、素子境界部８における底部の厚みを大きくすることで、外側底面３１の側に溝３２を形成することが可能となっている。さらには、ケース３の底部の素子境界部８に凸条１０を設け、底部の厚みを大きくすることで、底部の他の部位の厚みよりも深い孔５を形成することが可能となっている。
【００１５】
溝３２は、Ｖ字形状をなしており、その溝３２に先に述べた突起４が設けられている。突起４は、溝３２のＶ字の側面に接するように設けられている。突起４の先端面に孔５が設けられている。突起４の先端面は、コンデンサ素子７ａの第２側面７２に対向する外側底面３１の平坦部と面一になっている。それゆえ、突起４は、コンデンサモジュール２の外形サイズを大きくしない。先に述べたように、突起４と孔５は、コンデンサモジュール２をハンドリングする際に位置決めに用いられる。実施例のコンデンサモジュール２は、隣接するコンデンサ素子７ａと７ｂ（７ｂと７ｃ）の間に設けられる素子境界部８を有効に利用し、外形サイズを大きくすることなく、位置決め用の突起４と孔５を実現している。
【００１６】
図５に、第１変形例のコンデンサモジュール２ａの側面図を示す。第１変形例のコンデンサモジュール２ａは、ケース３ａに、３個のコンデンサ素子７ａ、７ｂ、７ｄを収容している。コンデンサ素子７ｄは、他の２個のコンデンサ素子７ａ、７ｂよりも一回り小さい。コンデンサ素子７ｄの大きさに対応して、ケース３ａの上部から、コンデンサ素子７ｄに対向する外側底面３５の平坦部までのケース高さＨ３は、コンデンサ素子７ａ、７ｂに対向する外側底面３１の平坦部までのケース高さＨ１よりも低い。ケース３ａは、素子境界部８に突起４を備えている。ケース３ａの上部から突起４の先端面までの高さＨ２は、コンデンサ素子７ｄに対向する外側底面３５における高さＨ３よりも高いが、コンデンサ素子７ａ、７ｂに対向する外側底面３１における高さＨ１と同じである。即ち、突起４の先端面（高さＨ２）は、小さい方のコンデンサ素子７ｄに対向する外側底面３５の平坦部（高さＨ３）よりもケース外側に位置しているが、大きい方のコンデンサ素子７ａ、７ｂに対向する外側底面３５の平坦部（高さＨ１）と面一である。突起の先端面は、ケースの最も大きい高さに対応する底面の平坦部と面一か、その平坦部よりもケース内側に位置していればよい。そうすれば、突起がケースの外形サイズを大きくすることがない。
【００１７】
図６に、第２変形例のコンデンサモジュール２ｂの断面図を示す。コンデンサモジュール２ｂは、実施例のコンデンサモジュール２と同様に、３個のコンデンサ素子７ａ−７ｃを収容するケース３ｂを備えている。実施例のコンデンサモジュール２は、素子境界部８の外側底面３１の側に、溝３２と突起４を備えていたが、第２変形例のコンデンサモジュール２ｂは、ケース３ｂの素子境界部８ｂに溝と突起を備えていない点で相違する。ただし、ケース３ｂの素子境界部８ｂの内側底面の側には、凸条１０が設けられているとともに、素子境界部８ｂの外側底面の側には位置決め用の孔５が設けられている。コンデンサモジュール２ｂは、隣り合うコンデンサ素子７ａ、７ｂ（７ｂ、７ｃ）の丸角部７３の間の空間に張り出すように凸条１０を設けることで、底部の他の部分の厚みよりも深い孔５を設けることができる。
【００１８】
図６のコンデンサモジュール６ｂのように、素子境界部８ｂの外側底面の側に溝を設けずともよいが、実施例のコンデンサモジュール６のように、素子境界部８の外側底面の側に溝を設ける方が、モジュールの軽量化と材料費の節約の点で有利である。
【００１９】
実施例で説明した技術に関する留意点を述べる。素子境界部の外側底面の側に設けられる突起４又は孔５は、製造工程においてハンドリング装置がケース３を位置決めするピンを挿入する位置決め用に設けられている。突起４又は孔５は、コンデンサモジュール２を電気機器の筐体に固定するためのボルトを通すのに利用されてもよい。突起の数、あるいは、孔の数に制限はない。ケースに収容されるコンデンサ素子の数も、２個以上であればよい。
【００２０】
以上、本発明の具体例を詳細に説明したが、これらは例示に過ぎず、特許請求の範囲を限定するものではない。特許請求の範囲に記載の技術には、以上に例示した具体例を様々に変形、変更したものが含まれる。本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【符号の説明】
【００２１】
２、２ａ、２ｂ：コンデンサモジュール
３、３ａ、３ｂ：ケース
４：突起
５：孔
７ａ、７ｂ、７ｃ、７ｄ：コンデンサ素子
８、８ｂ：素子境界部
１０：凸条
１３：モールド樹脂
３１：外側底面
３２：溝
３３、３５：内側底面
７１：第１側面
７２：第２側面
７３：丸角部
【図１】
2019134044.tif 000003
【図２】
2019134044.tif 000004
【図３】
2019134044.tif 000005
【図４】
2019134044.tif 000006
【図５】
2019134044.tif 000007
【図６】
2019134044.tif 000008